(57)【要約】【課題】簡易な構成でより効率的に身体を保温できるとともに、多用途に使用できる衣類を提供することを目的とする。【解決手段】本考案の多用途衣類１０を、保温性の布地１２の一の長辺１４に沿って、一の長辺１４を弾性的に収縮させる付勢力を付加するゴム（弾性部材）１６と、一の長辺１４を腰に巻いた状態に保持するための３個のボタン（掛止具）１８及び３個のボタン孔２０と、一の長辺１４側に向かって開口する開口部２４を有する四角形状の収納袋２６と、布地１２の一の長辺１４側に向かって開口する開口部３０を有する四角形状のポケット３２とを備えて構成した。【選択図】図１
0003157847.tif 000002
【実用新案登録請求の範囲】
【請求項１】
長辺を有する保温性の布地の一の長辺に沿って、該一の長辺の一定箇所を弾性的に収縮させる付勢力を付加する弾性部材を備えた多用途衣類。
【請求項２】
使用時に裏側となる前記布地の裏面に、収納袋を備えた請求項１に記載する多用途衣類。
【請求項３】
前記収納袋が、前記布地の一の長辺付近中央部に備えられ、該一の長辺側に向かって開口する開口部を有する請求項２に記載する多用途衣類。
【請求項４】
使用時に表側となる前記布地の表面に、ポケットを備えた請求項１〜請求項３のいずれかに記載する多用途衣類。
【請求項５】
前記ポケットが、前記布地の長手方向端部付近に備えられ、該一の長辺側に向かって開口する開口部を有する請求項４に記載する多用途衣類。
【請求項６】
前記一の長辺側を肩に掛けて、肩掛けとして使用し得る請求項１〜請求項５のいずれかに記載する多用途衣類。
【請求項７】
前記一の長辺を腰に巻いた状態に保持できる掛止具を備え、巻きスカートとして使用し得る請求項１〜請求項６のいずれかに記載する多用途衣類。
【請求項８】
膝掛けとして使用し得る請求項１〜請求項７のいずれかに記載する多用途衣類。
【考案の詳細な説明】
【技術分野】
【０００１】
本考案は、少なくとも肩掛けとして使用し得る多用途衣類に関するものである。
【背景技術】
【０００２】
従来から、寒さを防ぐための肩掛けや膝掛けが使用されている。例えば、肩掛けは、保温性を有する編物又は織物等から形成され、首又は肩に当てて掛けることにより、防寒具として、屋内又は屋外で使用できる。
【０００３】
また、肩掛けとして使用できる簡易防寒具について、特許文献１に示すように、出願されて開示されている。特許文献１に示す簡易防寒具は、特許文献１の図３に示すように、肩に掛けてボタン２と係止環３とを留め、フード５を頭に被せて、屋外において身体の保温を行うことができる。また、この簡易防寒具は、特許文献１の「産業上の利用分野」に示すように、膝掛けとしても使用できる。
【０００４】
しかし、簡易な構成でより効率的に身体を保温できるような防寒具が望ましい。また、より多用途に使用できる防寒具であれば、外出や旅行のために便利である。
【先行技術文献】
【特許文献】
【０００５】
【特許文献１】登録実用新案第３００２７４５号公報
【考案の概要】
【考案が解決しようとする課題】
【０００６】
本考案の目的は、簡易な構成でより効率的に身体を保温できるとともに、多用途に使用できる衣類を提供することにある。
【課題を解決するための手段】
【０００７】
本考案の多用途衣類は、長辺を有する保温性の布地の一の長辺に沿って、該一の長辺の一定箇所を弾性的に収縮させる付勢力を付加する弾性部材を備えたことを特徴とする。
【０００８】
本考案の多用途衣類は、前記多用途衣類において、使用時に裏側となる前記布地の裏面に、収納袋を備えたことを特徴とする。
【０００９】
本考案の多用途衣類は、前記多用途衣類において、前記収納袋が、前記布地の一の長辺付近中央部に備えられ、該一の長辺側に向かって開口する開口部を有することを特徴とする。
【００１０】
本考案の多用途衣類は、前記多用途衣類において、使用時に表側となる前記布地の表面に、ポケットを備えたことを特徴とする。
【００１１】
本考案の多用途衣類は、前記多用途衣類において、前記一の長辺側を肩に掛けて、肩掛けとして使用し得ることを特徴とする。
【００１２】
本考案の多用途衣類は、前記多用途衣類において、前記ポケットが、前記布地の長手方向端部付近に備えられ、該一の長辺側に向かって開口する開口部を有することを特徴とする。
【００１３】
本考案の多用途衣類は、前記多用途衣類において、前記一の長辺を腰に巻いた状態に保持できる掛止具を備え、巻きスカートとして使用し得ることを特徴とする。
【００１４】
本考案の多用途衣類は、前記多用途衣類において、膝掛けとして使用し得ることを特徴とする。
【考案の効果】
【００１５】
本考案の多用途衣類によれば、簡易な構成ながらも、肩掛け、膝かけ及び巻きスカートの３用途に使用することができる。また、弾性部材によって一の長辺付近が弾性的に収縮することにより、首又は肩付近に纏着させること等によって効率的に身体を保温できる。すなわち、本考案は、簡易な構成でより効率的に身体を保温できるとともに、多用途に使用できる。
【図面の簡単な説明】
【００１６】
【図１】本考案に係る多用途衣類を示す図であり、同図（ａ）は表面図であり、同図（ｂ）は裏面図である。
【図２】図１の多用途衣類の使用状態を示す斜視図である。
【図３】図１の多用途衣類の他の使用状態を示す斜視図である。
【図４】図１の多用途衣類の更に他の使用状態を示す斜視図である。
【図５】本考案に係る多用途衣類の他の実施形態を示す斜視図である。
【図６】本考案に係る多用途衣類の他の実施形態を示す図であり、同図（ａ）は表面図であり、同図（ｂ）は二つに折り畳んだ状態を示す図である。
【考案を実施するための形態】
【００１７】
本考案に係る多用途衣類の実施形態について図面に基づいて説明する。図１〜図５において、符号１０は本考案の多用途衣類である。図１は、本考案の多用途衣類１０を広げた状態を示す。図１の多用途衣類１０は、横方向長さが約１４０センチメートルであり、縦方向幅が約５５センチメートルであり、大人が肩掛け、膝掛け、及び巻きスカートとして使用できる。但し、その寸法は、特に限定されず、使用者に応じて異なる。
【００１８】
多用途衣類１０は、図１に示すように、長辺を有する保温性の布地１２の一の長辺１４に沿って、一の長辺１４を弾性的に収縮させる付勢力を付加するゴム（弾性部材）１６を備え、一の長辺１４側を首４０へ向けながら、肩４２に掛けて、少なくとも肩掛けとして使用し得る多用途衣類である。布地１２は、厚手の編物又は織物等の保温性の高い材料から略長方形に形成され、周囲には縁部材１３が縫合されている。ゴム１６は、一の長辺１４に対して直角な中心軸Ｃを線対称軸として線対称な２箇所に内蔵され、一の長辺１４を僅かに収縮しながら布地１２の一の長辺１４付近を首４０又は肩４２に纏着させるように構成されている。なお、布地１２自体は略長方形であるが、一の長辺１４は、ゴム１６によって僅かに収縮することにより、多用途衣類１０を広げた状態を示す図１において僅かに湾曲する。
【００１９】
また、多用途衣類１０は、一の長辺１４を腰に巻いた状態に保持するための３個のボタン（掛止具）１８及び３個のボタン孔２０を備え、巻きスカートとして使用し得るように構成されている。また、多用途衣類１０は、布地１２の裏面２２の一の長辺１４付近中央部に、カイロを入れることが可能であり、一の長辺１４側に向かって開口する開口部２４を有する四角形状の収納袋２６を備えている。収納袋２６は、多用途衣類１０全体を折り畳んで収納できる。また、多用途衣類１０は、布地１２の表面２８の長手方向端部付近に、布地１２の一の長辺１４側に向かって開口する開口部３０を有する四角形状のポケット３２を備えている。収納袋２６及びポケット３０は、例えば、縫合されて布地１２に固定されるが、固定方法は特に限定されない。
【００２０】
このような構成の多用途衣類１０の作用について以下に説明する。
【００２１】
本考案の多用途衣類１０の第一の用途は、肩掛けである。肩掛けとして使用する場合、図２に示すように、表面２８を外側にした状態で、一の長辺１４を首４０に巻きながら、一の長辺１４付近を肩４２に掛ける。この時、ゴム１６によって一の長辺１４付近が弾性的に収縮するため、一の長辺１４付近が衣服４４の首４０又は肩４２付近に絡みながら首４０又は肩４２付近に纏着する。このため、一の長辺１４付近と首４０又は肩４２との間に隙間ができて隙間に冷たい空気が侵入するのを極力防止して保温効果を高めることができる。ここで、布地１２の一の長辺１４の中央部付近にはゴム１６を備えないため、肩掛けとして使用した時に首４０付近にはゴム１６が位置しないこととなり、首４２に圧迫感を与えることなく、首４０又は肩４２付近に纏着することができる。また、一の長辺１４付近が首４０又は肩４２に纏着するため、首４０又は肩４２から外れ落ちるのを防止できる。なお、肩掛けとして使用した時に、ボタン１８をボタン孔２０に掛止すれば、保温効果をより高めることができる。
【００２２】
また、肩掛けとして使用した時、裏面２２の収納袋２６は背中上部付近に位置することとなり、収納袋２６にカイロを入れれば、背中上部付近を暖めて効果的に身体を暖めることができる。また、肩掛けとして使用した時、図２に示すように、表面２８のポケット３２は、その開口部３０を横にして胸付近に位置することとなる。このため、肩掛けとして使用した時、ポケット３２は特に使用しなくてもよい。
【００２３】
次に、本考案の多用途衣類１０の第二の用途は、膝掛けである。膝掛けとして使用する場合、図３に示すように、表面２８を外側にした状態で、一の長辺１４側を胴体４８側へ向けて太腿４６に掛ける。この時、ゴム１６によって一の長辺１４付近が弾性的に収縮するため、一の長辺１４付近がズボン５０の股間部付近に絡みながら纏着する。このため、一の長辺１４付近と太腿４６との間に隙間ができて隙間に冷たい空気が侵入するのを極力防止して下半身の保温効果を高めることができる。
【００２４】
また、膝かけとして使用した時、図３に示すように、裏面２２の収納袋２６は股間部付近に位置することとなり、収納袋２６にカイロを入れれば、下半身を暖めることができる。なお、カイロにより膝５０付近を暖めたい場合には、一の長辺１４側を胴体４８と反対側へ向けて太腿４６に掛ければよい。また、膝掛けとして使用した時、図３に示すように、表面２８のポケット３２は、その開口部３０を横にして太腿４６下方付近に位置することとなる。このため、膝かけとして使用した時、ポケット３２は特に使用しなくてもよい。
【００２５】
次に、本考案の多用途衣類１０の第三の用途は、巻きスカートである。巻きスカートとして使用する場合、図４に示すように、一の長辺１４を腰５２に巻いて３個のボタン１８を３個のボタン孔２０に掛止することにより、腰５２に巻いた状態に保持される。この時、ゴム１６によって一の長辺１４付近が弾性的に収縮することにより、腰５２から多用途衣類１０が外れ落ちることはない。
【００２６】
また、巻きスカートとして使用した時、裏面２２の収納袋２６は仙骨部付近に位置することとなり、収納袋２６にカイロを入れれば、仙骨部付近を暖めて効果的に身体を暖めることができる。また、巻きスカートとして使用した時、図４に示すように、表面２８のポケット３２は、開口部３０を上にして、太腿前方付近の外面に位置することとなる。このため、ポケット３２にハンカチや小物類等を入れることができる。
【００２７】
このような本考案の多用途衣類１０によれば、簡易な構成ながらも、肩掛け、膝かけ及び巻きスカートの３用途に使用することができる。また、ゴム１６によって一の長辺１４付近が弾性的に収縮することにより、首４０又は肩４２付近に纏着させること等によって効率的に身体を保温できる。
【００２８】
以上、本考案の一実施例について説明したが、本考案の多用途衣類は、その他の形態で実施することができる。例えば、図５に示すように、多用途衣類１０において、腕５４に巻いた状態に保持できるスナップボタン５６を布地１２の裏面２２に備えてもよい。このスナップボタン５６を掛止することにより、腕５４と布地１２との隙間から冷たい空気が侵入するのを極力防止できる。また、スナップボタン５６を裏面２２に備えて外からは見えないため、外観上も好ましい。
【００２９】
また、多用途衣類１０において、図６に示すように、布地１２の長手方向の折り曲げ線Ｌで折り畳んだ状態に保持できるスナップボタン５８（ａ）及び（ｂ）を備えてもよい。スナップボタン５８（ａ）とスナップボタン５８（ｂ）とを掛止して、図６（ｂ）に示すように、二つに折り畳んだ状態に保持すれば、全体的に細くなるため、首に巻いてマフラーとして使用することも可能となる。この場合、収納袋２６にカイロを入れれば、首を暖めることができる。
【００３０】
以上、本考案の実施形態について図面に基づいて説明したが、本考案は図示したものに限定されない。例えば、ボタン１８、ボタン孔２０、収納袋２６及びポケット３２は特に備えなくとも、簡易な構成でより効率的に身体を保温できるとともに、多用途に使用できるという本考案の目的は達成できる。また、ゴム１６を一の長辺１４に沿って備えるだけでなく、他の辺に沿って備えてもよい。また、一の長辺に沿って備える弾性部材はゴムに限定されず、合成ゴム等の弾性ポリマーから成るものであってもよい。また、ポケットを布地の長手方向端部の両端付近に備えてもよく、ポケットを布地に対して斜め方向に向けて備えてもよい。その他、本考案は、その要旨を逸脱しない範囲で、当業者の創意と工夫により、適宜に改良、変更又は追加をしながら実施されるものである。
【産業上の利用可能性】
【００３１】
本考案の多用途衣類によれば、簡易な構成でより効率的に身体を保温できるとともに、多用途に使用できる。このため、身体の保温のために広く利用できる。
【符号の説明】
【００３２】
１０：多用途衣類
１２：布地
１４：一の長辺
１６：ゴム（弾性部材）
１８：ボタン（掛止具）
２０；ボタン孔
２２：裏面
２４：開口部
２６：収納袋
２８：表面
３０：開口部
３２：ポケット
４０：首
４２：肩
【図１】
0003157847.tif 000003
【図２】
0003157847.tif 000004
【図３】
0003157847.tif 000005
【図４】
0003157847.tif 000006
【図５】
0003157847.tif 000007
【図６】
0003157847.tif 000008